(57)【要約】【課題】手が滑ることなく内容物を確実に噴出させることができるディスペンサを提案する。【解決手段】容器（１）の口部に固定保持されるベースキャップ（２）と、このベースキャップ（２）の下面に垂下され容器内の内容物を吸引、加圧、圧送するポンプ（３）と、このポンプ（３）を作動させて内容物を外界に向けて噴出させるノズル付きの押圧ヘッド（４）を備えたディスペンサにおいて、前記押圧ヘッド（４）に、該押圧ヘッド（４）につながり押圧面積の拡大を図るとともにベースキャップ（２）に至るまでの領域若しくは容器の肩部下端域に至るまでの領域を覆い該押圧ヘッド（４）の押し込みに帯同してスライドするカバー（５）を設け、該カバー（５）に、指をあてがって押圧ヘッドを把持しやすくする凹部（５）を形成する。【選択図】図１
2005153889.tif 000002
【特許請求の範囲】
【請求項１】
容器の口部に固定保持されるベースキャップと、このベースキャップの下面に垂下され容器内の内容物を吸引、加圧、圧送するポンプと、このポンプを作動させて内容物を外界に向けて噴出させるノズル付きの押圧ヘッドを備えたディスペンサであって、
前記押圧ヘッドに、該押圧ヘッドにつながり押圧面積の拡大を図るとともにベースキャップに至るまでの領域若しくは容器の肩部下端域に至るまでの領域を覆い該押圧ヘッドの押し込みに帯同してスライドするカバーを設け、
該カバーに、指をあてがって押圧ヘッドを把持し易くする凹部を形成してなることを特徴とするディスペンサ。
【請求項２】
前記凹部は、押圧ヘッドのノズルの直下に設けられたものである請求項１記載のディスペンサ。
【請求項３】
前記カバーは、押圧ヘッドの押し込みを不能するストッパーを有する請求項１又は２に記載のディスペンサ。
【発明の詳細な説明】
【技術分野】
【０００１】
本発明は、容器内の内容物を適量噴出させるのに好適なディスペンサに関するものであり、該ディスペンサの使い易さの改善を図ろうとするものである。
【背景技術】
【０００２】
シャンプーやリンス、化粧水あるいは液体石鹸等を入れた容器ではそれそのものを持ち上げることをせず押圧ヘッドを押圧するのみで内容物を適量注出することができるようにディスペンサを備えたものが多数存在している（例えば特許文献１参照）。
【特許文献１】特開２００１−２３３３７３号公報
【０００３】
ところで、ハンドソープ等の内容物を入れておく比較的小型の容器に装着されるディスペンサは容器のサイズに合わせてサイズの小型化がなされていることから、内容物を噴出させる際にヘッド部において手が滑り易いという不都合があり（とくに力の弱い幼児や老人にとっては顕著）その改善が望まれていた。
【発明の開示】
【発明が解決しようとする課題】
【０００４】
本発明の課題は、ディスペンサのサイズにかかわりなしにしっかりと把持した状態で押圧ヘッドを押圧して内容物を適量噴出できる新規なディスペンサを提案するところにある。
【課題を解決するための手段】
【０００５】
本発明は、容器の口部に固定保持されるベースキャップと、このベースキャップの下面に垂下され容器内の内容物を吸引、加圧、圧送するポンプと、このポンプを作動させて内容物を外界に向けて噴出させるノズル付きの押圧ヘッドを備えたディスペンサであって、
前記押圧ヘッドに、該押圧ヘッドにつながり押圧面積の拡大を図るとともにベースキャップに至るまでの領域若しくは容器の肩部下端域に至るまでの領域を覆い該押圧ヘッドの押し込みに帯同してスライドするカバーを設け、
該カバーに、指をあてがって押圧ヘッドを把持しやすくする凹部を形成してなることを特徴とするディスペンサである。
【０００６】
上記の構成になるディスペンサにおいて凹部は、押圧ヘッドのノズルの直下に設けられたものが好ましい。
【０００７】
また、前記カバーは、ベースキャップ若しくは容器に係合して押圧ヘッドに負荷される不用意な荷重による内容物の漏洩を防止するストッパーを備えることができる。
【発明の効果】
【０００８】
押圧ヘッドにおける押圧面積が拡大され、それを握った状態で内容物を噴出させることが可能で手が滑るような不具合がない。
【０００９】
押圧ヘッドからベースキャップまで、あるいは押圧ヘッドから容器の肩部下端までカバーで覆われるので容器内に水等が侵入することはなく内容物の品質が安定的に保たれる。
【発明を実施するための最良の形態】
【００１０】
以下、図面を参照して本発明をより具体的に説明する。
【００１１】
図１は本発明に従うディスペンサの実施の形態を示したものであり、図２はディスペンサの使用状況を示した図である。
【００１２】
図における１は内容物を収納する容器、２は容器の口部にねじ止めによって固定保持される例で示したベースキャップ、３はベースキャップ２の下面に垂下され容器内の内容物を吸引、加圧、圧送するポンプ（図示はフォーマポンプとして例示してある）、４はポンプ３を作動させて内容物を外界に向けて噴出させる押圧ヘッドであって、この押圧ヘッド４は横向きに開口する噴出口を有するノズル４ａを一体的に備えている。
【００１３】
また、５は押圧ヘッド４につながり押圧面積の拡大を図るとともにベースキャップ２に至るまでの領域を覆うカバーである。このカバー５は押圧ヘッド４の押し込みに帯同してベースキャップ２の側壁に沿いスライドするもので、ノズル４ａの直下には指をあてがって押圧ヘッド４を把持し易くするための凹部５ａが形成される。
【００１４】
さらに、６は押圧ヘッド４に設けられたストッパーを構成するリブである。このストッパー６はベースキャップ２の天面内側端部から上方に延出する筒部突端面に当接して押圧ヘッド４の押し込みを不能にするもの（不用意な荷重の負荷による押圧ヘッドの押し込みを防止する）であり、押圧ヘッド４の回動にてベースキャップ２の延出筒部端面に予め設けた溝部（図示せず）に望ませることによって押圧ヘッド４の押し込みを可能とする。
【００１５】
かかる構成になるディスペンサは、図２に示すようにカバー５の凹部５ａに親指をあてがい押圧面積の拡大されたヘッド４を把持した状態で押し込むことができるので手が滑るようなことはなく（ヘッドに力を確実に伝達できる）、力の弱い人であっても内容物を噴出させるのが容易となる。
【００１６】
図３は本発明に従うディスペンサの他の実施の形態を示したものである。
この例は、カバー５を延長させて容器の肩部の下端域に至るまでの領域を覆うようにするとともに、カバー５の裏面に図４に示すようなコの字状断面になるストッパー６を２つ、また、ベースキャップ２にカバー５の内面形状に沿う断面形状を有する扇子型の凸部７を２つそれぞれ対向配置した構造のものである。
【００１７】
このディスペンサも図２に示すようにノズル４ａの直下の凹部５ａに親指をあてがい押圧面積の拡大されたヘッド４を把持した状態で押し込むことができるもので、押圧ヘッド４を回動させて図４の仮想線の如くストッパー６を凸部７に望ませることで押圧ヘッド４の押し込みを不能とし、図４の実線で表示したようにストッパー６を凸部７の相互間に位置せしめることで図５に示すように押圧ヘッド４の押し込みを可能とする。
【００１８】
上記の構成になるディスペンサは押圧ヘッド４の押し込みに際してカバー５が容器の胴部に沿ってスライドするので、容器の胴部にカバー５の最下端に当接する段差８を設け、押圧ヘッド４の押し込みによるロック状態（ロック機構は図示せず）となる押圧ヘッド４の最下降位置でカバー５と容器１との外表面を一致（面一）させるようにしてもよい。
【００１９】
本発明の実施の形態では、ベースキャップ２はねじ止め式として図示したがアンダーカットによる係合であってもよくこの点については限定されない。
【００２０】
また、押圧ヘッド４の押し込みを不能とするストッパー６は容器の外観形状等に応じて適宜に変更できるものであり、例えば、図３の実施例の構成に図１に示されるストッパー構成を採用することも可能であり、図示のものに限定されることはない。
【産業上の利用可能性】
【００２１】
押圧面積が大きいので内容物の噴出にかかる力を押圧ヘッドに確実に伝達することができ、かつ、外部からの水分の侵入が防止でき、内容物の品質の安定保持が可能なディスペンサを提供できる。
【図面の簡単な説明】
【００２２】
【図１】本発明に従うディスペンサの実施の形態を示した図である。
【図２】内容物の噴出状況を示した図である。
【図３】本発明に従うディスペンサの他の実施の形態を示した図である。
【図４】ディスペンサの平面を断面で示した図である。
【図５】図３に示したディスペンサにおいて押圧ヘッドを押し込んだ状態を示した図である。
【符号の説明】
【００２３】
１  容器
２  ベースキャップ
３  ポンプ
４  押圧ヘッド
４ａノズル
５  カバー
５ａ凹部
６  ストッパー
７  凸部
８  段差
【図１】
2005153889.tif 000003
【図２】
2005153889.tif 000004
【図３】
2005153889.tif 000005
【図４】
2005153889.tif 000006
【図５】
2005153889.tif 000007